(57)【特許請求の範囲】
【請求項１】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備え、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
タッチセンサ付き表示装置。
【請求項２】
前記ゲート電位は、垂直ブランキング期間と水平ブランキング期間の間、高い状態にされる
請求項１に記載のタッチセンサ付き表示装置。
【請求項３】
前記ゲート電位は、前記タッチセンサ用駆動信号に同期して高い状態にされる
請求項２に記載のタッチセンサ付き表示装置。
【請求項４】
前記ゲート電位は、前記表示用電圧が正極性の書き込みを行うときに高い状態にされる
請求項１に記載のタッチセンサ付き表示装置。
【請求項５】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置の電位制御方法であって、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
電位制御方法。
【請求項６】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置を制御するコンピュータに、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
処理を実行させるプログラム。
【請求項７】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備え、
前記表示制御回路により前記共通電極に印加される表示用駆動電圧をタッチセンサ用駆動信号として利用し、
前記表示画素電極を構成するTFT回路のゲートに供給される信号は、異なる３つの電位が所定のタイミングで切り替えられる信号とされる
タッチセンサ付き表示装置。
【請求項８】
前記３つの電位は、基準となる第１の電位、前記TFT回路をオンの状態にするための第２の電位、および前記タッチセンサ用駆動信号が供給されるときの第３の電位である
請求項７に記載のタッチセンサ付き表示装置。
【請求項９】
垂直ブランキング期間と水平ブランキング期間の間、前記TFT回路のゲートに供給される信号の電位は、前記第３の電位とされる
請求項８に記載のタッチセンサ付き表示装置。
【請求項１０】
前記TFT回路のゲートに供給される信号は、前記タッチセンサ用駆動信号に同期した信号とされ、前記第１の電位と前記第３の電位が繰り返される信号とされる
請求項８に記載のタッチセンサ付き表示装置。
【請求項１１】
前記TFT回路のゲートに供給される信号は、前記表示用電圧が正極性の書き込みを行うときに前記異なる３つの電位が所定のタイミングで切り替えられる信号とされ、前記表示用電圧が負極性の書き込みを行うときに前記異なる３つの電位のうちの２つの電位が所定のタイミングで切り替えられる信号とされる
請求項７に記載のタッチセンサ付き表示装置。
【請求項１２】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置の電位制御方法であって、
前記表示制御回路により前記共通電極に印加される表示用駆動電圧をタッチセンサ用駆動信号として利用し、
前記表示画素電極を構成するTFT回路のゲートに供給される信号を、異なる３つの電位が所定のタイミングで切り替えられる信号とする
電位制御方法。
【請求項１３】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置を制御するコンピュータに、
前記表示制御回路により前記共通電極に印加される表示用駆動電圧をタッチセンサ用駆動信号として利用し、
前記表示画素電極を構成するTFT回路のゲートに供給される信号を、異なる３つの電位が所定のタイミングで切り替えられる信号とする
ための処理を実行させるプログラム。
【発明の詳細な説明】
【技術分野】
【０００１】
本技術は、タッチセンサ付き表示装置、電位制御方法、およびプログラムに関する。詳しくは、タッチセンサの感度を向上させたタッチセンサ付き表示装置、電位制御方法、およびプログラムに関する。
【背景技術】
【０００２】
近年、いわゆるタッチパネルと呼ばれる接触検出装置（以下、タッチセンサと記述する）を液晶表示装置上に直接装着すると共に、液晶表示装置に各種のボタンを表示させることにより、通常のボタンの代わりとして情報入力を可能とするようにした表示装置が注目されている。この技術は、モバイル機器の画面の大型化傾向の中にあって、ディスプレイとボタンの配置の共用化を可能にすることから、省スペース化や部品点数の削減という大きなメリットをもたらす。
【０００３】
しかしながら、この技術によれば、タッチパネルの装着によって液晶モジュールの全体の厚さが厚くなってしまう。特にモバイル機器用途においては、タッチパネルの傷防止のための保護層が必要となることから、液晶モジュールが厚くなり、薄型化が困難であった。
【０００４】
そこで液晶表示素子に元々備えられている表示用の共通電極を、一対のタッチセンサ用電極のうちの一方（駆動電極）として兼用し、表示用駆動信号としての既存のコモン駆動信号を、タッチセンサ用駆動信号としても共用することで、薄型化することが提案されている（例えば、特許文献１参照）。
【先行技術文献】
【特許文献】
【０００５】
【特許文献１】特開2009-244958号公報
【発明の概要】
【発明が解決しようとする課題】
【０００６】
近年、タッチセンサを搭載した機器が増え、タッチセンサに対するユーザニーズやユーザインタフェースも多様化してきている。例えば、複数の指で触れたことを検出するマルチタッチ検出、指の隣接検出（所謂プロキシミティ）、極細ペンでの検出などもできることが望まれている。このような検出を精度良く行うためには、タッチセンサの感度を向上させることが必要とされる。
【０００７】
極細ペンを精度よく検出するためには、Ｓ／Ｎ（Sensor /Noise）を向上させることが必要とされ、近接検出、所謂プロキシミティを検出するためにはさらにＳ／Ｎを向上させる必要がある。特許文献１におけるタッチセンサの感度を上げる場合、表示用駆動信号とタッチセンサ用駆動信号で共用されているコモン駆動信号の振幅を大きくすることで実現できる。コモン駆動信号の振幅（Tx振幅）を高振幅化することで、電界強度が大きく変化することになり、精度を向上させることが可能となる。
【０００８】
一方、液晶ディスプレイに用いられるTFT（thin film transistor）には信頼性が得られる耐圧があり、その規格以上に電圧がかかるとTFTが破壊され半導体デバイスとして機能しなくなってしまう。コモン駆動信号の振幅（Tx振幅）を高振幅化することで、TFTの信頼性が得られる耐圧以上になってしまうと、画素TFTが破壊されてしまい、画不良、信頼性不良が発生しまう可能性があるため、コモン駆動信号を高振幅化することは困難であった。このようなことから、タッチセンサの精度を向上させることも困難であった。
【０００９】
本技術は、このような状況に鑑みてなされたものであり、タッチセンサの精度を向上させることができるようにするものである。
【課題を解決するための手段】
【００１０】
本技術の一側面の第１のタッチセンサ付き表示装置は、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備え、前記表示制御回路により前記共通電極に印加される表示用駆動電圧をタッチセンサ用駆動信号として利用し、前記タッチセンサ用駆動信号が印加されている間、前記表示画素電極を構成するTFT回路のゲート電位を高くする。
【００１１】
前記ゲート電位は、垂直ブランキング期間と水平ブランキング期間の間、高い状態にされるようにすることができる。
【００１２】
前記ゲート電位は、前記タッチセンサ用駆動信号に同期して高い状態にされるようにすることができる。
【００１３】
前記ゲート電位は、前記表示用電圧が正極性の書き込みを行うときに高い状態にされるようにすることができる。
【００１４】
本技術の一側面の第１の電位制御方法は、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備えるタッチセンサ付き表示装置の電位制御方法であって、前記表示制御回路により前記共通電極に印加される表示用駆動電圧をタッチセンサ用駆動信号として利用し、前記タッチセンサ用駆動信号が印加されている間、前記表示画素電極を構成するTFT回路のゲート電位を高くする。
【００１５】
本技術の一側面の第１のプログラムは、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備えるタッチセンサ付き表示装置を制御するコンピュータに、前記表示制御回路により前記共通電極に印加される表示用駆動電圧をタッチセンサ用駆動信号として利用し、前記タッチセンサ用駆動信号が印加されている間、前記表示画素電極を構成するTFT回路のゲート電位を高くする処理を実行させる。
【００１６】
本技術の一側面の第１のタッチセンサ付き表示装置、電位制御方法、およびプログラムにおいては、複数の表示画素電極、表示画素電極と対向して設けられた共通電極、画像表示機能を有する表示機能層、画像信号に基づいて、表示画素電極と共通電極との間に表示用電圧を印加して表示機能層の表示機能を発揮させるように画像表示制御を行う表示制御回路、共通電極と対向して設けられ、共通電極との間に静電容量を形成するタッチ検出電極が備えられている。そして、表示制御回路により共通電極に印加される表示用駆動電圧がタッチセンサ用駆動信号として利用され、タッチセンサ用駆動信号が印加されている間、表示画素電極を構成するTFT回路のゲート電位を高くする処理が実行される。
【００１７】
本技術の一側面の第２のタッチセンサ付き表示装置は、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備え、前記表示制御回路により前記共通電極に印加される表示用駆動電圧をタッチセンサ用駆動信号として利用し、前記表示画素電極を構成するTFT回路のゲートに供給される信号は、異なる３つの電位が所定のタイミングで切り替えられる信号とされる。
【００１８】
前記３つの電位は、基準となる第１の電位、前記TFT回路をオンの状態にするための第２の電位、および前記タッチセンサ用駆動信号が供給されるときの第３の電位であるようにすることができる。
【００１９】
垂直ブランキング期間と水平ブランキング期間の間、前記TFT回路のゲートに供給される信号の電位は、前記第３の電位とされるようにすることができる。
【００２０】
前記TFT回路のゲートに供給される信号は、前記タッチセンサ用駆動信号に同期した信号とされ、前記第１の電位と前記第３の電位が繰り返される信号とされるようにすることができる。
【００２１】
前記TFT回路のゲートに供給される信号は、前記表示用電圧が正極性の書き込みを行うときに前記異なる３つの電位が所定のタイミングで切り替えられる信号とされ、前記表示用電圧が負極性の書き込みを行うときに前記異なる３つの電位のうちの２つの電位が所定のタイミングで切り替えられる信号とされるようにすることができる。
【００２２】
本技術の一側面の第２の電位制御方法は、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備えるタッチセンサ付き表示装置の電位制御方法であって、前記表示制御回路により前記共通電極に印加される表示用駆動電圧をタッチセンサ用駆動信号として利用し、前記表示画素電極を構成するTFT回路のゲートに供給される信号を、異なる３つの電位が所定のタイミングで切り替えられる信号とする。
【００２３】
本技術の一側面の第２のプログラムは、複数の表示画素電極と、前記表示画素電極と対向して設けられた共通電極と、画像表示機能を有する表示機能層と、画像信号に基づいて、前記表示画素電極と前記共通電極との間に表示用電圧を印加して前記表示機能層の表示機能を発揮させるように画像表示制御を行う表示制御回路と、前記共通電極と対向して設けられ、前記共通電極との間に静電容量を形成するタッチ検出電極とを備えるタッチセンサ付き表示装置を制御するコンピュータに、前記表示制御回路により前記共通電極に印加される表示用駆動電圧をタッチセンサ用駆動信号として利用し、前記表示画素電極を構成するTFT回路のゲートに供給される信号を、異なる３つの電位が所定のタイミングで切り替えられる信号とするための処理を実行させる。
【００２４】
本技術の一側面の第２のタッチセンサ付き表示装置、電位制御方法、およびプログラムにおいては、複数の表示画素電極、表示画素電極と対向して設けられた共通電極、画像表示機能を有する表示機能層、画像信号に基づいて、表示画素電極と共通電極との間に表示用電圧を印加して表示機能層の表示機能を発揮させるように画像表示制御を行う表示制御回路、共通電極と対向して設けられ、共通電極との間に静電容量を形成するタッチ検出電極が備えられている。そして、表示制御回路により共通電極に印加される表示用駆動電圧がタッチセンサ用駆動信号として利用され、表示画素電極を構成するTFT回路のゲートに供給される信号を、異なる３つの電位が所定のタイミングで切り替えられる信号とするための処理が実行される。
【発明の効果】
【００２５】
本技術の一側面によれば、タッチセンサの精度を向上させることが可能となる。
【図面の簡単な説明】
【００２６】
【図１】本技術を適用したタッチセンサ付き表示装置の動作原理を説明するための図であり、指非接触時の状態を示す図である。
【図２】タッチセンサ付き表示装置の動作原理を説明するための図であり、指接触時の状態を示す図である。
【図３】タッチセンサ付き表示装置の動作原理を説明するための図であり、タッチセンサの駆動信号および検出信号の波形の一例を示す図である。
【図４】タッチセンサ付き表示装置の概略断面構造を表す断面図である。
【図５】タッチセンサ付き表示装置の要部（共通電極およびセンサ用検出電極）の一構成例を示す斜視図である。
【図６】画素の構成例を示す図である。
【図７】正極性と負極性との場合による電位の関係を示す図である。
【図８】正極性と負極性との場合による電位の関係を示す図である。
【図９】ゲート線の配置について説明するための図である。
【図１０】ゲート線の配置について説明するための図である。
【図１１】ゲートバッファの構成例を示す図である。
【図１２】ブランキング期間の電位の関係について説明するためのタイミングチャートである。
【図１３】ブランキング期間の電位の関係について説明するためのタイミングチャートである。
【図１４】ブランキング期間の電位の関係について説明するためのタイミングチャートである。
【図１５】ブランキング期間の電位の関係について説明するためのタイミングチャートである。
【図１６】ブランキング期間の電位の関係について説明するためのタイミングチャートである。
【図１７】記録媒体について説明するための図である。
【発明を実施するための形態】
【００２７】
以下に、本技術の実施の形態について図面を参照して説明する。
【００２８】
本技術は、液晶表示素子に備えられている表示用の共通電極を、一対のタッチセンサ用電極のうちの一方（駆動電極）として兼用し、表示用駆動信号としての既存のコモン駆動信号を、タッチセンサ用駆動信号としても共用することで、薄型化した装置に適用できる。このような装置について、まず説明を加える。
【００２９】
［タッチセンサ付き表示装置について］
図１乃至図３を参照して、本実施の形態のタッチセンサ付き表示装置におけるタッチ検出方式の基本原理を表すものである。このタッチ検出方式は、静電容量型タッチセンサとして具現化されるものであり、図１Ａに示したように、誘電体Ｄを挟んで互いに対向配置された一対の電極（駆動電極Ｅ１および検出電極Ｅ２）が用いられ、容量素子が構成される。
【００３０】
この構造は、図１Ｂに示した等価回路として表される。駆動電極Ｅ１、検出電極Ｅ２および誘電体Ｄによって容量素子Ｃ１が構成される。容量素子Ｃ１は、その一端が交流信号源Ｓに接続され、他端Ｐは抵抗Ｒを介して接地されると共に電圧検出器ＤＥＴに接続される。交流信号源Ｓから駆動電極Ｅ１（容量素子Ｃ１の一端）に所定の周波数（例えば数ｋＨｚ〜十数ｋＨｚ程度）の交流矩形波Ｓｇ（図３Ｂ）が印加されると、検出電極Ｅ２（容量素子Ｃ１の他端Ｐ）に、図３Ａに示したような出力波形（検出信号Ｖdet）が現れる。なお、この交流矩形波Ｓｇは、後述するコモン駆動信号Ｖcomに相当するものである。
【００３１】
指を接触していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３Ａの波形Ｖ０のようになり、これが電圧検出器ＤＥＴによって検出される。
【００３２】
一方、指を接触した状態では、図２に示したように、指によって形成される容量素子Ｃ２が容量素子Ｃ１に直列に追加された形となる。この状態では、容量素子Ｃ１，Ｃ２に対する充放電に伴って、それぞれ電流Ｉ１，Ｉ２が流れる。このときの容量素子Ｃ１の他端Ｐの電位波形は、例えば図３Ａの波形Ｖ１のようになり、これが電圧検出器ＤＥＴによって検出される。このとき、点Ｐの電位は、容量素子Ｃ１，Ｃ２を流れる電流Ｉ１，Ｉ２の値によって定まる分圧電位となる。
【００３３】
このため、波形Ｖ１は、非接触状態での波形Ｖ０よりも小さい値となる。電圧検出器ＤＥＴは、後述するように、検出した電圧を所定の閾値電圧Ｖthと比較し、この閾値電圧以下であれば非接触状態と判断する一方、閾値電圧以上であれば接触状態と判断する。このようにして、タッチ検出が可能となる。
【００３４】
図４は、タッチセンサ付き表示装置の要部断面構造を表すものである。このタッチセンサ付き表示装置は、表示素子として液晶表示素子を用いると共に、この液晶表示素子に元々備えられている電極の一部（後述する共通電極４３）および表示用駆動信号（後述するコモン駆動信号Ｖcom ）を兼用して静電容量型タッチセンサを構成したものである。
【００３５】
図４に示したように、このタッチセンサ付き表示装置は、画素基板２と、この画素基板２に対向して配置された対向基板４と、画素基板２と対向基板４との間に挿設された液晶層６とを備えている。画素基板２は、回路基板としてのＴＦＴ基板２１と、このＴＦＴ基板２１上にマトリクス状に配設された複数の画素電極２２とを有する。ＴＦＴ基板２１には、各画素電極２２を駆動するための図示しない表示ドライバやＴＦＴ（薄膜トランジスタ）のほか、各画素電極に画素信号を供給するソース線や、各ＴＦＴを駆動するゲート線等の配線が形成されている。
【００３６】
対向基板４は、ガラス基板４１と、このガラス基板４１の一方の面に形成されたカラーフィルタ４２と、このカラーフィルタ４２の上に形成された共通電極４３とを有する。カラーフィルタ４２は、例えば赤（Ｒ）、緑（Ｇ）、青（Ｂ）の３色のカラーフィルタ層を周期的に配列して構成したもので、表示画素（画素電極２２）ごとにＲ、Ｇ、Ｂの３色が１組として対応付けられている。共通電極４３は、タッチ検出動作を行うタッチセンサの一部を構成するセンサ用駆動電極としても兼用されるものであり、図１における駆動電極Ｅ１に相当する。
【００３７】
共通電極４３は、コンタクト導電柱７によってＴＦＴ基板２１と連結されている。このコンタクト導電柱７を介して、ＴＦＴ基板２１から共通電極４３に交流矩形波形のコモン駆動信号Ｖcom が印加されるようになっている。このコモン駆動信号Ｖcom は、画素電極２２に印加される画素電圧とともに各画素の表示電圧を画定するものであるが、タッチセンサの駆動信号としても兼用されるものであり、図１の駆動信号源Ｓから供給される交流矩形波Ｓｇに相当する。
【００３８】
ガラス基板４１の他方の面には、センサ用検出電極４４が形成され、さらに、このセンサ用検出電極４４の上には、偏光板４５が配設されている。センサ用検出電極４４は、タッチセンサの一部を構成するもので、図１における検出電極Ｅ２に相当する。
【００３９】
液晶層６は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。
【００４０】
なお、液晶層６と画素基板２との間、および液晶層６と対向基板４との間には、それぞれ配向膜が配設され、また、画素基板２の下面側には入射側偏光板が配置されるが、ここでは図示を省略している。
【００４１】
図５は、対向基板４における共通電極４３およびセンサ用検出電極４４の一構成例を斜視状態にて表したものである。この例では、共通電極４３は、図の左右方向に延在する複数のストライプ状の電極パターンに分割されている。各電極パターンには、ドライバ４３Ｄによってコモン駆動信号Ｖcom が順次供給され、時分割的に線順次走査駆動が行われるようになっている。
【００４２】
一方、センサ用検出電極４４は、共通電極４３の電極パターンの延在方向と直交する方向に延びる複数のストライプ状の電極パターンから構成されている。センサ用検出電極４４の各電極パターンからは、それぞれ、検出信号Ｖdet が出力され、検出回路（不図示）に入力されるようになっている。
【００４３】
次に、以上のような構成のタッチセンサ付き表示装置の動作を説明する。画素基板２の表示ドライバ（図示せず）は、共通電極４３の各電極パターンに対してコモン駆動信号Ｖcom を線順次で供給する。表示ドライバはまた、ソース線を介して画素電極２２へ画素信号を供給すると共に、これに同期して、ゲート線を介して各画素電極のＴＦＴのスイッチングを線順次で制御する。これにより、液晶層６には、画素ごとに、コモン駆動信号Ｖcom と各画素信号とにより定まる縦方向（基板に垂直な方向）の電界が印加されて液晶状態の変調が行われる。このようにして、いわゆる反転駆動による表示が行われる。
【００４４】
一方、対向基板４の側では、共通電極４３の各電極パターンと、センサ用検出電極４４の各電極パターンとの交差部分にそれぞれ容量素子Ｃ１が形成される。共通電極４３の各電極パターンにコモン駆動信号Ｖcom を時分割的に順次印加していくと、その印加された共通電極４３の電極パターンとセンサ用検出電極４４の各電極パターンとの交差部分に形成されている一列分の容量素子Ｃ１の各々に対する充放電が行われる。その結果、容量素子Ｃ１の容量値に応じた大きさの検出信号Ｖdet が、センサ用検出電極４４の各電極パターンからそれぞれ出力される。対向基板４の表面にユーザの指が触れられていない状態においては、この検出信号Ｖdet の大きさはほぼ一定となる。コモン駆動信号Ｖcom のスキャンに伴い、充放電の対象となる容量素子Ｃ１の列が線順次的に移動していく。
【００４５】
ここで、対向基板４の表面のいずれかの場所にユーザの指が触れると、そのタッチ箇所に元々形成されている容量素子Ｃ１に、指による容量素子Ｃ２が付加される。その結果、そのタッチ箇所がスキャンされた時点（すなわち、共通電極４３の電極パターンのうち、そのタッチ箇所に対応する電極パターンにコモン駆動信号Ｖcom が印加されたとき）の検出信号Ｖdet の値が他の箇所よりも小さくなる。検出回路は、この検出信号Ｖdet を閾値電圧Ｖthと比較して、閾値電圧Ｖth以下の場合に、その箇所をタッチ箇所として判定する。このタッチ箇所は、コモン駆動信号Ｖcom の印加タイミングと、閾値電圧Ｖth以下の検出信号Ｖdet の検出タイミングとから割り出すことができる。
【００４６】
このように、本実施の形態によれば、液晶表示素子に元々備えられている共通電極４３を、駆動電極と検出電極とからなる一対のタッチセンサ用電極のうちの一方として兼用すると共に、表示用駆動信号としてのコモン駆動信号Ｖcom を、タッチセンサ用駆動信号として共用するようにして静電容量型タッチセンサを構成したので、新たに設ける電極はセンサ用検出電極４４だけでよく、また、タッチセンサ用駆動信号を新たに用意する必要がない。
【００４７】
このような構成とすることで構成を簡単にすることができる。また、センサ用検出電極４４を複数の電極パターンに分割して個別に時分割的に駆動するようにしたので、タッチ位置の検出も可能になる。
【００４８】
このように図４、図５に示したタッチセンサ付き表示装置の表示装置として機能するアクティブマトリクス型の液晶表示装置は、行状に配された走査（ゲート）線と、列状に配された信号線と、各走査線および信号線の交差部に対応して行列状（マトリクス状）に配された画素を有する。また１水平期間（１Ｈ）毎にその行の素子をアクティブ状態にする水平駆動回路と、アクティブ状態になっている行の走査線を順次走査（スキャン）して画素を行毎（ライン毎）に選択して駆動する垂直駆動回路とを有する。
【００４９】
そして、各水平期間分の映像信号を選択された各行の画素に書き込んで、１フレーム（または、１フィールド）分の映像信号を保持する。このような表示装置として機能する一方で、上記したようにタッチパネルとしても機能する。
【００５０】
このように、液晶表示素子に元々備えられている共通電極４３を、駆動電極と検出電極とからなる一対のタッチセンサ用電極のうちの一方として兼用し、表示用駆動信号としてのコモン駆動信号Ｖcom を、タッチセンサ用駆動信号として共用するために、コモン駆動信号Ｖcomの振幅の大きさは、以下に説明するような条件を満たす必要がある。
【００５１】
［耐圧について］
図６は、１画素（液晶表示素子）の詳細な構成を示したブロック図である。液晶表示素子は、ＴＦＴ回路６１、液晶容量６２から構成される。ＴＦＴ回路６１のゲート電極は、ゲート線に接続され、ＴＦＴ回路６１２のソース電極（または、信号電極）は、信号線に接続され、ＴＦＴ回路６１のドレイン電極は、液晶容量６２に接続されている。液晶容量６２の対向電極（ＴＦＴ回路６１に接続されていない側の電極）には、コモン駆動信号Ｖcomが印加される。
【００５２】
ＴＦＴ回路６１は、液晶容量６２に電圧を印可することにより、液晶容量６２を駆動する。すなわち、ＴＦＴ回路６１は、対応するゲート信号がＯＮであるときの信号電圧に基づいて液晶容量６２を駆動する。
【００５３】
なお、液晶は、直流電圧が印加されると寿命が短くなってしまう。そこで、一般的な液晶表示装置においては、共通電極に印加する電圧を基準にして、液晶容量６２の画素電極に印加する電圧を、一定時間毎に、正電圧側と負電圧側に変化させることにより、液晶の寿命が短くなることを防止するようになされている。
【００５４】
後述するように、本実施の形態においては、正電圧側（以下、正極性と称する）と負電圧側（以下、負極性と称する）とで、ゲート負電源を変動させる。このことにより、ＴＦＴ回路が破損しないように制御しつつも、タッチセンサの精度を向上させるために、コモン駆動信号Ｖcomの振幅を大きくすることが可能となる。
【００５５】
TFT回路６１には、信頼性が得られる耐圧があり、その規格以上に電圧がかかるとTFTが破壊され半導体デバイスとして機能しなくなってしまう。一方で、コモン駆動信号Ｖcomの振幅（Tx振幅）を高振幅化することで、電界強度が大きく変化することになり、タッチセンサとしての感度を向上させることが可能となる。
【００５６】
タッチセンサに対するユーザニーズやユーザインタフェースも多様化してきており、例えば、複数の指で触れたことを検出するマルチタッチ検出、指の隣接検出（所謂プロキシミティ）、極細ペンでの検出などもできることが望まれている。このような検出を精度良く行うためには、タッチセンサの感度を向上させることが必要とされ、感度を向上させるためには、コモン駆動信号Ｖcomの振幅（Tx振幅）を高振幅化する必要がある。
【００５７】
しかしながら、単にコモン駆動信号Ｖcomの振幅を高振幅化すると、上記したTFT回路６１の耐圧を超えてしまう可能性がある。TFT回路６１のゲート電位Ｖｇとドレイン電位（画素電位）Ｖｄとの電位差Ｖｇｄは、液晶容量６２の電位Ｖpix、コモン駆動信号Ｖcomの振幅の電位Ｖcom、およびゲートの電源の電位Gateから以下のように求められる。
電位差Ｖｇｄ＝電位Ｖpix＋電位Ｖcom−電位Gate
【００５８】
例えば、仮に、TFT回路６１の耐圧電位を７とし、電位Ｖpix＝１、電位Ｖcom＝２、電位Gate＝−３とする。この場合、上記式から電位差Ｖｇｄは６となる。電位差Ｖｇｄ＝６の場合、耐圧の７より小さい値であるため、TFT回路６１は、信頼性が得られる耐圧内で動作することになる。
【００５９】
しかしながら、タッチセンサの感度を向上させるために、コモン駆動信号Ｖcomの振幅を高振幅化し、２倍の電位Ｖcom＝４とした場合、電位差Ｖｇｄは８となる。電位差Ｖｇｄ＝８の場合、耐圧の７より大きい値であるため、TFT回路６１は、信頼性が得られる耐圧外で動作することになり、破損などが起きる可能性がある。よって、このような電位にコモン駆動信号Ｖcomの振幅を設定することはできない。
【００６０】
このことについてさらに説明を加える。上記したように、画素は、負極性のときと正極性のときとがある。コモン駆動信号Ｖcomの振幅を高振幅化したときに、TFT回路６１の耐圧を超えてしまう可能性があるのは、正極性のときである。このことについて、図７を参照して説明する。
【００６１】
図７Ａは、負極性のときの電位の関係を示す図であり、図７Ｂは、正極性のときの電位の関係を示す図である。図７Ａ、図７Ｂにおいては、TFT回路６１のゲートにかけられる電位Gateを実線で示し、コモン駆動信号Ｖcomの電位Ｖcomを点線で示し、液晶容量６２にかかる電位Ｖpixを一点鎖線で示す。
【００６２】
図７Ａを参照するに、TFT回路６１のゲート信号が、電位GateＡから電位GateＢにされることでTFT回路６１がオンにされると、負極性の場合、負電圧の電位Ｖpixがかけられる。電位GateＡは、基準となる電位とし、電位GateＢは、TFT回路６１をオンにするために必要な電位とする。このかけられる電位Ｖpixを電位ＶpixＡとすると、電位GateＢと電位ＶpixＡとの関係は、図７Ａに示したようになる。
【００６３】
液晶容量６２の電位が、電位ＶpixＡであるときに、コモン駆動信号Ｖcomの電位ＶcomＢがかけられると、その分だけ、液晶容量６２の電位が上がり、電位ＶpixＢとなる。このとき、電位ＶpixＢと電位GateＡとの電位差、すなわち、電位差Ｖｇｄは、耐圧内である。よって、TFT回路６１が破損するようなことはない。
【００６４】
図７Ｂを参照するに、TFT回路６１のゲート信号が、電位GateＡから電位GateＢにされることでTFT回路６１がオンにされると、正極性の場合、正電圧の電位Ｖpixがかけられる。このかけられる電位Ｖpixを電位ＶpixＣとすると、電位GateＢと電位ＶpixＣとの関係は、図７Ｂに示したようになる。
【００６５】
液晶容量６２の電位が、電位ＶpixＣであるときに、コモン駆動信号Ｖcomの電位ＶcomＢがかけられると、その分だけ、液晶容量６２の電位が上がり、電位ＶpixＤとなる。電位ＶcomＢが負極性のときと同じ電位であっても、液晶容量６２の電位は異なる電位となり、負極性のときよりも高い電位ＶpixＤとなる。この電位ＶpixＤと電位GateＡとの電位差、すなわち、電位差Ｖｇｄは、負極性のときよりも大きくなり、耐圧外となる可能性がある。よって、TFT回路６１が破損するなどの可能性があり、好ましい状態ではない。
【００６６】
このように、コモン駆動信号Ｖcomの振幅を大きくすると、負極性のときには、TFT回路６１が耐圧内で動作する設計としてあっても、正極性のときには、TFT回路６１の耐圧を超えてしまう可能性があり、コモン駆動信号Ｖcomの振幅を大きくするのは困難であった。そこで、図８に示すように、正極性のときと負極性のときで、TFT回路６１のゲートにかけられる電位Gateを切り替えることでTFT回路６１の耐圧を超えてしまうことなく、かつコモン駆動信号Ｖcomを高振幅化することができるようにする。
【００６７】
図８Ａに示した負極性のときの電位の関係は、図７Ａに示した負極性のときの電位の関係と同じである。すなわち、負極性のときには、TFT回路６１のゲートにかけられる電位Gateは、
電位GateＡ→電位GateＢ→電位GateＡ
というように変化する。このように、負極性のときには、２つの電位が切り替えられる信号が用いられる。
【００６８】
正極性のときには、図８Ｂに示したような電位の関係となる。この図８Ｂに示した場合も、図７Ｂに示した場合と同じく、TFT回路６１にコモン駆動信号Ｖcom、電位ＶpixＣがかけられる。しかしながら、図７Ｂに示した場合と異なり、TFT回路６１のゲートにかけられる電位Gateは、
電位GateＡ→電位GateＢ→電位GateＣ
というように変化する。
【００６９】
図８Ｂには図示していないが、電位GateＣの後、所定の時間が経過後、電位GateＡに戻される。なお所定の時間が経過後とは、後述するように、コモン駆動信号Ｖcomの振幅に合わせた変動を行うか、コモン駆動信号Ｖcomの振幅の変動の間、変動させないかに依存する。
【００７０】
正極性のときには、TFT回路６１のゲート信号が、電位GateＡから電位GateＢにされることでオンになり、その後、電位GateＡに電位が戻されるのではなく、電位GateＡよりも大きな電位であり、電位GateＢよりも小さい電位の電位GateＣに電位が、電位GateＡから落とされる。なお詳細には、図８Ｂに示したように、電位GateＢから一旦電位GateＡに落とされたあと、タッチセンサとして動作するとき、電位GateＣに上げられる。
【００７１】
正極性のときには、TFT回路６１に正電圧の電位ＶpixＣがかけられる。液晶容量６２の電位が、電位ＶpixＣであるときに、コモン駆動信号Ｖcomで、電位ＶcomＢがかけられると、その分だけ、液晶容量６２の電位が上がり、電位ＶpixＤとなる。このとき、図７Ｂに示した例では、電位ＶpixＤと電位GateＡとの電位差の電位差Ｖｇｄ（電位差ＶｇｄＤＡとする）は、耐圧外となる可能性があるが、図８Ｂに示した例では、電位ＶpixＤと電位GateＣとの電位差Ｖｇｄ（電位差ＶｇＤＣとする）は、電位差ＶｇｄＤＡよりも小さい値となるため、耐圧内に収めることが可能となる。
【００７２】
このように、電位GateＣは、電位差ＶｇｄＤＣが耐圧内に収まるような電位に設定される。また、電位GateＣを設定することで、電位差ＶｇｄＤＣが耐圧内に収まるようにすれば、コモン駆動信号Ｖcomの振幅を高振幅にすることが可能となり、タッチセンサの精度を向上させることが可能となる。
【００７３】
このように、負極性のときには、２つの電位が交互に現れるような信号電圧が、TFT回路６１のゲートに加えられ、正極性のときには、３つの電位が現れるような信号電圧が、TFT回路６１のゲートに加えられる。換言すれば、負極性と正極性とで、ゲート負電源を独立させ、正極画素におけるゲート負電源の電位を高くすることで、耐圧が確保されるようにする。
【００７４】
なお、後述するように、負極性のときにも、３つの電位が現れるような信号電圧が、TFT回路６１のゲートに加えられるように構成することは可能であるが、そのように構成した場合、３つの電位が現れるような信号の電位の切り替えのタイミングが所定の条件を満たしている必要がある。このような条件などについては後述するとし、まず、負極性と正極性とで、ゲート負電源を独立させ、負極性のときには、２つの電位が交互に現れるような信号電圧が、TFT回路６１のゲートに加えられ、正極性のときには、３つの電位が現れるような信号電圧が、TFT回路６１のゲートに加えられる場合について説明を続ける。
【００７５】
以下に、負極性と正極性とで、ゲート負電源を独立させた場合、画素の配置とゲートバッファの構成について説明する。図７を参照して説明した負極性と正極性とで、ゲート負電源を独立させない場合と比較しながら説明を行う。
【００７６】
［画素の極正配置パターンについて］
図９は、画素の極性配置パターンと、ゲート線の接続パターンを説明するための図である。図９Ａは、図７を参照して説明したように、負極性と正極性とで同一のゲート信号を用いる場合を示し、図９Ｂは、図８を参照して説明したように、負極性と正極性とで異なるゲート信号を用いる場合を示す。図９Ａと図９Ｂに示した極性配置パターンは、ドット反転駆動と称され、正極の画素と負極の画素が千鳥状に配置されるパターンである。
【００７７】
ドット反転駆動においては、例えば、任意の場所の正極の画素の上下左右は負極の画素であり、同様に負極画素の上下左右は正極の画素となっている。図９Ａに示したように、負極性と正極性とで同一のゲート信号が用いられる場合、ゲート信号は、負極性と正極性の両方の画素に同一のゲート信号が供給される。
【００７８】
よって、例えば、ゲート線１０１−１は、図中上側に横一列に配置された負極性の画素と正極性の両方の画素に、それぞれ接続され、ゲート信号を供給するように構成されている。同様に、ゲート線１０１−２は、図中上側から２番目の横一列に配置された負極性の画素と正極性の両方の画素に、それぞれ接続され、ゲート信号を供給するように構成されている。
【００７９】
このように、負極性と正極性とで同一のゲート信号が用いられる場合には、負極性の画素と正極性の画素に関係なく、ゲート線が接続される。
【００８０】
これに対して、図９Ｂに示したように、負極性と正極性とで異なるゲート信号が用いられる場合、ゲート信号は、負極性の画素と正極性の画素とでは異なるゲート信号が供給される。よって、例えば、ゲート線１１１−２は、図中上側に横一列に配置された画素の内の正極性の画素と上側から２番目の横一列に配置された画素の内の正極性の画素にそれぞれ接続され、ゲート信号を供給するように構成されている。
【００８１】
同様に、ゲート線１１１−３は、図中上側から２番目の横一列に配置された画素の内の負極性の画素と上側から３番目の横一列に配置された画素の内の負極性の画素にそれぞれ接続され、ゲート信号を供給するように構成されている。
【００８２】
このように、負極性と正極性とで異なるゲート信号が用いられる場合には、同一極性の画素が、同一のゲート線に接続されるように構成される。図９Ｂに示した例では、上下に位置する同一極性の画素が、同一のゲート線に接続される例を示したが、この例に限定されるわけではなく、同一極性の画素が、同一のゲート線に接続されるように構成されていれば、本実施の形態を適用できる。例えば、図９に示したようなドット反転駆動方式ではなく、図１０に示したライン反転駆動方式においても、本実施の形態を適用することはできる。
【００８３】
ライン反転駆動方式においては、例えば、任意の場所の正極の画素の左右方向は、同じ正極の画素であり、同様に負極画素の左右方向は、同じ負極の画素となっている。すなわち、１ラインは全て正極または負極にされており、１ライン毎に正極と負極が交互に配置されている。図１０に示したように、１ラインに負極性または正極性の画素が配置されているため、１ラインにおいては、同一のゲート信号が用いられることになる。
【００８４】
よって、例えば、ゲート線１２１−１は、図中上側に横一列に配置された正極性の画素に、それぞれ接続され、ゲート信号を供給するように構成されている。同様に、ゲート線１２１−２は、図中上側から２番目の横一列に配置された負極性の画素に、それぞれ接続され、ゲート信号を供給するように構成されている。
【００８５】
このように、負極性と正極性とで異なるゲート信号が用いられる場合には、同一極性の画素が、同一のゲート線に接続されるように構成される。
【００８６】
［ゲートバッファの構成について］
図１１は、ゲートバッファの構成を示す図である。図１１Ａは、図９Ａに示したようにゲート線と画素が接続され、負極性と正極性とで同一のゲート信号が用いられるときのゲートバッファの構成を示し、図１１Ｂは、図９Ｂに示したようにゲート線と画素が接続され、負極性と正極性とで異なるゲート信号が用いられるときのゲートバッファの構成を示す。
【００８７】
図１１Ａを参照するに、バッファ１５１とバッファ１５２は、それぞれ電位GateＡに相当する電位の信号を出力するVGL線と、電位GateＢに相当する電位の信号を出力するVGH線とに接続されている。バッファ１５１とバッファ１５２は、それぞれ図示していない外部からの指示に基づき、所定のタイミングで、VGL線から供給される信号とVGH線から供給される信号とを切り替え、接続されているゲート線に出力する。
【００８８】
バッファ１５１は、ゲート線（ｎ）に接続され、バッファ１５２は、ゲート線（ｎ＋１）に接続されている。例えば、バッファ１５１がゲート線１０１−１（図９Ａ）に接続されている場合、バッファ１５２は、ゲート線１０１−２（図９Ａ）に接続されている。図１１Ａには、２つのバッファを図示したが、ゲート線の数に対応する数のバッファが備えられる。
【００８９】
このようなゲートバッファの構成に対して、負極性と正極性とで異なるゲート信号が用いられる場合、ゲートバッファの構成は、図１１Ｂに示したような構成となる。図１１Ｂに示したゲートバッファの構成は、図１１Ａに示したゲートバッファの構成と同じく、２つのバッファ１６１とバッファ１６２を図示してあるが、ゲート線の数に対応する数のバッファが備えられているうちの２つのバッファを説明のために図示してある。
【００９０】
また、バッファ１６１とバッファ１６２は、それぞれ電位GateＢに相当する電位の信号を出力するVGH線に接続されている点は、図１１Ａに示したバッファ１５１とバッファ１５２と同じである。しかしながら、バッファ１６１はスイッチ１７１を介して、バッファ１６２はスイッチ１７２を介して、それぞれ、電位GateＡに相当する電位の信号を出力するVGL１線と、電位GateＣに相当する電位の信号を出力するVGL２線の２本のVGL線に接続されている点が、図１１Ａに示したバッファ１５１とバッファ１５２と異なる。
【００９１】
バッファ１６１とバッファ１６２は、それぞれ図示していない外部からの指示に基づき、所定のタイミングで、VGL１線またはVGL２線から供給される信号とVGH線から供給される信号とを切り替え、接続されているゲート線に出力する。また、スイッチ１７１とスイッチ１７２も、それぞれ図示していない外部からの指示に基づき、所定のタイミングで、VGL１線とVGL２線の接続を切り替え、VGL１線またはVGL２線から供給される信号をバッファ１６１、バッファ１６２にそれぞれ供給する。
【００９２】
バッファ１６１は、ゲート線（ｎ）に接続され、バッファ１６２は、ゲート線（ｎ＋１）に接続される。例えば、バッファ１６１がゲート線１１１−２（図９Ｂ）に接続されている場合、バッファ１６２は、ゲート線１１１−３（図９Ｂ）に接続されている。
【００９３】
また例えば、スイッチ１７１が端子ａに接続されると、バッファ１６１には、VGL２線から電位GateＣに相当する電位の信号が供給される状態とされる。電位GateＣは、正極性の画素に供給される信号電圧であり、正極性の画素のTFT回路６１がオンにされた後のタイミングで、バッファ１６１から接続されているゲート線に対して、電位GateＣに相当する電位の信号が出力される。
【００９４】
このとき、スイッチ１７２は端子ｄに接続され、バッファ１６１には、VGL１線から電位GateＡに相当する電位の信号が供給される状態とされる。電位GateＡは、負極性の画素に供給される信号電圧または正極性の画素のタッチセンサとして機能しないときに正極性の画素に供給される信号電圧であり、負極性または正極性の画素のTFT回路６１がオンにされた後のタイミングで、バッファ１６１から接続されているゲート線に対して、電位GateＡに相当する電位の信号が出力される。
【００９５】
このように、スイッチを設け、VGL線を切り替えることで、負極性のときと正極性のときとで、ゲートにかかる負電源の電位を異なる電位とすることが可能となる。また、このことによりTFT回路６１の耐圧が超えてしまうようなことを防ぐことができ、信頼性が保たれる範囲内で動作させることが可能となる。さらに、TFT回路６１の耐圧が超えない範囲内で、コモン駆動信号Ｖcomの振幅を高振幅化させることが可能となるため、タッチセンサの精度を向上させることが可能となる。
【００９６】
［タイミングチャートを参照した説明］
さらにタイミングチャートを参照し、タッチセンサとして機能するときに、正極性画素のゲート負電源の電位を高くすることで、TFT回路６１の耐圧を確保することについて説明する。
【００９７】
上記したように、タッチセンサ付き表示装置が表示装置として機能するときの書込みには、電荷の偏りが発生しないように正極、負極側の書き込みがあり交流反転されている。電位差Ｖｇｄが最も大きくなるのは、正極性を書き込んだ画素電位を保持している期間の画素TFT（TFT回路６１）である。そのため上記したように、正極性側の書込みをした画素に対して電位差Ｖｇｄが、所定の規格を超えないように、かつ、画素電位がリークしないような電位（電位GateＣ）へ画素TFTのゲート電位を制御することでコモン駆動信号Ｖcomの振幅を高振幅化することが可能となるとして説明した。
【００９８】
この際、書込み期間でない時間である垂直ブランキング期間(V blank)と水平ブランキング期間（H blank）に、タッチセンサとして機能させるための、上記した電位GateＣに電位を制御することで、画像データに起因するリークが発生しないように制御することが可能となる。Sig電位はリークしない一定電位であることが望ましい。
【００９９】
タッチセンサ付き表示装置は、垂直ブランキング期間と水平ブランキング期間を利用してタッチセンサとして機能する。垂直ブランキング期間と水平ブランキング期間のそれぞれにおいて、極性画素のゲート負電源の電位を高くする制御が行われる。図１２は、垂直ブランキング期間のときのタイミングチャートを示す。
【０１００】
図１２を参照するに、VCKは垂直同期信号を示し、Sigは映像信号を示す。Ｖcom、Gate１乃至GateＮ、およびＶpix１乃至ＶpixＮは、それぞれ上記してきた電位Ｖcom、電位Gate、および電位Ｖpixを示す。また、Gate１乃至GateＮは、それぞれゲート線１乃至Ｎに接続されているバッファからの出力信号の電位を示し、Ｖpix１乃至ＶpixＮは、それぞれゲート線１乃至Ｎに接続されている液晶容量Ｃの電位を示す。また、Ｖcom、Gate１乃至GateＮ、およびＶpix１乃至ＶpixＮは、それぞれ図８を参照して説明した電位の関係を満たす。
【０１０１】
コモン駆動信号Ｖcomは、垂直ブランキング期間の間、所定の周期の信号であり、電位ＶcomＡと電位ＶcomＢとを繰り返す信号とされ、各画素に順次供給される。Gate１が、正極性の画素に接続されているゲート線１の電位であるとする。この場合、図１２に示すタイミングで、電位GateＡから電位GateＢにされることで、ゲート線１に接続されている正極性の画素がオンにされ、映像信号に基づき、書き込みが行われる。電位Ｖpix１は、書き込みが行われた後、電位ＶpixＣで維持される。
【０１０２】
液晶容量Ｃの電位Ｖpix１が電位ＶpixＣで維持されているときに、垂直ブランキング期間になり、電位ＶcomＡと電位ＶcomＢが所定の周期で繰り返されるコモン駆動信号Ｖcomが加えられると、その周期に対応して、液晶容量Ｃの電位Ｖpix１も、電位ＶpixＣと電位ＶpixＤが繰り返される信号となる。このように、正極性の画素の液晶容量Ｃの電位Ｖpix１が変動するため、その期間は、Gate１の電位は、電位GateＣに固定される。すなわち、図１２に示したように、ブランキング期間の間、Gate１の電位は電位GateＣに固定される。
【０１０３】
このように、正極性のときには、ブランキング期間の間、Gate１の電位は電位GateＣに固定されることにより、図８を参照して説明したように、液晶容量Ｃの電位Ｖpix１が、電位ＶpixＣと電位ＶpixＤと変動しても、TFT回路６１の耐圧を超えることなく制御することができる。また、タッチセンサとして機能しているブランキング期間の間、ゲート負電圧を、電位GateＣで維持することで、ブランキング期間の間に供給されるコモン駆動信号Ｖcomの振幅を高振幅にする（電位ＶcomＡと電位ＶcomＢの電位差を大きくする）ことが可能となり、センサとしての性能を向上させることが可能となる。
【０１０４】
次に負極性の画素の電位の変化について説明する。Gate１の次のGate２が、負極性の画素に接続されているゲート線２の電位であるとする。この場合、図１２に示すタイミングで、電位GateＡから電位GateＢにされることで、ゲート線２に接続されている負極性の画素がオンにされ、映像信号に基づき、書き込みが行われる。電位Ｖpix２は、書き込みが行われた後、電位ＶpixＢで維持される。
【０１０５】
液晶容量Ｃの電位Ｖpix２が電位ＶpixＢで維持されているときに、垂直ブランキング期間になり、電位ＶcomＡと電位ＶcomＢが所定の周期で繰り返されるコモン駆動信号Ｖcomが加えられると、その周期に対応して、液晶容量Ｃの電位Ｖpix２も、電位ＶpixＡと電位ＶpixＢが繰り返される信号となる。このように、負極性の画素の液晶容量Ｃの電位Ｖpix２が変動するが、その期間は、Gate２の電位は、電位GateＡに戻されたままで、固定される。すなわち、図１２に示したように、電位GateＢから電位GateＡに戻されたあと、ブランキング期間の間も、Gate２の電位は電位GateＡのままに固定される。
【０１０６】
正極性のときには、ゲートバッファ１６１のスイッチ１７１（図１１Ｂ）は、垂直ブランキング期間の前の時点では、端子ｂに接続され、ゲートバッファ１６１は、VGL１線を介して供給される電位GateＡの信号を出力する。そして、垂直ブランキング期間になると、スイッチ１７１は、端子ｂから端子ａに切り替えられ、ゲートバッファ１６１は、VGL２線を介して供給される電位GateＣの信号を出力する。
【０１０７】
このように、正極性の画素に対する負電源は、垂直ブランキング期間の間、TFT回路６１をオンにするときの電位GateＢよりも小さく、基準となる電位GateＡよりも高い電位である電位GateＣに維持される。また、負極性の画素に対する負電源は、垂直ブランキング期間の間、TFT回路６１をオンにするときの電位GateＢから、基準となる電位GateＡに戻され後、その電位GateＡに維持される。
【０１０８】
図１２を参照して説明した正極性の画素のゲートにかけられる電位の変化は、垂直ブランキング期間の間、負電源の電位を高くするようにした。垂直ブランキング期間の間、負電源の電位を高くするのではなく、コモン駆動信号Ｖcomと同期して、負電源の電位も上げ、下げされるようにしても良い。このようにした場合のタイミングチャートを、図１３に示す。
【０１０９】
図１３は、垂直ブランキング期間のゲートの電位の変動を説明するためのタイミングチャートである。図１３に示したタイミングチャートと図１２に示したタイミングチャートを比較するに、正極性の画素のゲートの電位が、コモン駆動信号Ｖcomと同期している点が異なる。
【０１１０】
コモン駆動信号Ｖcomは、垂直ブランキング期間の間、所定の周期の信号であり、電位ＶcomＡと電位ＶcomＢと所定の周期で繰り返す信号とされ、各画素に順次供給される。図１２を参照して説明した場合と同じく、Gate１が、正極性の画素に接続されているゲート線１の電位であるとした場合、図１３に示すタイミングで、電位GateＡから電位GateＢにされることで、ゲート線１に接続されている正極性の画素がオンにされ、映像信号に基づき、書き込みが行われる。電位Ｖpix１は、書き込みが行われた後、電位ＶpixＣで維持される。
【０１１１】
液晶容量Ｃの電位Ｖpix１が電位ＶpixＣで維持されているときに、垂直ブランキング期間になり、電位ＶcomＡと電位ＶcomＢが周期的に繰り返されるコモン駆動信号Ｖcomが加えられると、その周期に対応して、液晶容量Ｃの電位Ｖpix１も、電位ＶpixＣと電位ＶpixＤが繰り返される信号となる。そして、Gate１の電位も、電位GateＡと電位GateＣが繰り返される信号とされる。
【０１１２】
このように、正極性のときには、ブランキング期間の間、Gate１の電位は電位GateＡと電位GateＣが、コモン駆動信号Ｖcomの周期と同じ周期で繰り返される信号とされる。このような場合、例えば、ゲートバッファ１６１のスイッチ１７１（図１１Ｂ）は、コモン駆動信号Ｖcomの周期に合わせて接続先を端子ａまたは端子ｂに切り替える。ゲートバッファ１６１は、接続先の端子を介して供給されるVGL１線からの電位GateＡの信号、またはVGL２線からの電位GateＣの信号を出力する。
【０１１３】
負極性の画素に対しては、上記してきた場合と同様に、TFT回路６１をオンにするときだけ、電位が電位GateＢにされ、それ以外のときには電位GateＡの信号が供給される。この場合も、負極性の画素のTFT回路６１は、耐圧を超えることなく制御される。
【０１１４】
［水平ブランキング期間のゲート電位について］
図１４は、水平ブランキング期間のゲートの電位の変動を説明するためのタイミングチャートである。水平ブランキング期間の間も、コモン駆動信号Ｖcomの所定の周期と同期して、正極性のTFT回路６１のゲートにかけられる電位、例えばGateＭは、電位GateＡと電位GateＣとが繰り返される信号とされる。その間に、書き込みのタイミングになると、TFT回路６１をオンの状態にするために、電位GateＡから電位GateＢにされる。
【０１１５】
このように、正極性のときには、水平ブランキング期間であり、TFT回路６１をオンにする期間以外の間は、電位GateＡと電位GateＣが、コモン駆動信号Ｖcomの周期と同じ周期で繰り返される信号とされる。負極性のときには、水平ブランキング期間に関係なく、TFT回路６１をオンにするときだけ、電位GateＢとされ、それ以外は電位GateＡとされる信号とされる。
【０１１６】
図１４に示した水平ブランキング期間のゲートの電位の変動は、図１２に示した垂直ブランキング期間のゲートの電位の変動がタッチパネルとして機能する間、上げられている場合と、図１３に示した垂直ブランキング期間のゲートの電位の変動がコモン駆動信号Ｖcomと同期して上げられている場合とで同様である。
【０１１７】
このように、ブランキング期間の間は、正極性の画素のゲートに対して供給される信号を、コモン駆動信号Ｖcomと同期した信号とすることで、図８を参照して説明したように、液晶容量Ｃの電位Ｖpix１が、電位ＶpixＣと電位ＶpixＤと変動しても、その変動に合わせて、ゲートの負電源の電位も上げられるため、TFT回路６１の耐圧を超えることなく制御することができる。また、タッチセンサとして機能しているブランキング期間の間、ゲート負電圧を、電位GateＣに維持することで、ブランキング期間の間に供給されるコモン駆動信号Ｖcomの振幅を高振幅にする（電位ＶcomＡと電位ＶcomＢの電位差を大きくする）ことが可能となり、センサとしての性能を向上させることが可能となる。
【０１１８】
［正極性と負極性とで同一のゲート信号を用いる場合について］
上記した実施の形態においては、正極性と負極性とで、異なるゲート信号が用いられる場合を例にあげて説明した。正極性と負極性とで、同一のゲート信号が用いられるように構成することも可能である。図１３、図１４に示したように、垂直ブランキング期間と水平ブランキング期間の間、ゲートの電位がコモン駆動信号Ｖcomと同期して上げられるように構成し、負極性のときにもゲートの電位がコモン駆動信号Ｖcomと同期して上げられるように構成することで、正極性と負極性とで、同一のゲート信号が用いられるように構成することも可能である。
【０１１９】
負極性のときにもゲートの電位がコモン駆動信号Ｖcomと同期して上げられるように構成した場合の垂直ブランキング期間のときのタイミングチャートを図１５に示す。図１５に示したタイミングチャートのうち、正極性に係わるタイミングチャートは、図１３に示したタイミングチャートの正極性に係わるタイミングチャートと同様であり、垂直ブランキング期間の間、Gate１の電位は電位GateＡと電位GateＣが、コモン駆動信号Ｖcomの周期と同じ周期で繰り返される信号とされる。
【０１２０】
次に負極性の画素の電位の変化について説明する。コモン駆動信号Ｖcomは、垂直ブランキング期間の間、所定の周期の信号であり、電位ＶcomＡと電位ＶcomＢと所定の周期で繰り返す信号とされ、各画素に順次供給される。Gate２が、負極性の画素に接続されているゲート線２の電位であるとした場合、図１５に示すタイミングで、電位GateＡから電位GateＢにされることで、ゲート線２に接続されている負極性の画素がオンにされ、映像信号に基づき、書き込みが行われる。電位Ｖpix２は、書き込みが行われた後、電位ＶpixＡ（図８Ａ）で維持される。
【０１２１】
液晶容量Ｃの電位Ｖpix２が電位ＶpixＡで維持されているときに、垂直ブランキング期間になり、電位ＶcomＡと電位ＶcomＢが周期的に繰り返されるコモン駆動信号Ｖcomが加えられると、その周期に対応して、液晶容量Ｃの電位Ｖpix２も、電位ＶpixＡと電位ＶpixＢ（図８Ａ）が繰り返される信号となる。そして、Gate２の電位も、電位GateＡと電位GateＣが繰り返される信号とされる。
【０１２２】
このように、負極性のときも、正極性のときと同じく、ブランキング期間の間、Gate２の電位は電位GateＡと電位GateＣが、コモン駆動信号Ｖcomの周期と同じ周期で繰り返される信号とされる。すなわち、図１５に示したように、正極性、負極性に係わらず、ゲート信号として同一の信号が正極性の画素と負極性の画素にそれぞれ供給される。
【０１２３】
水平ブランキング期間においても、負極性のときにゲートの電位がコモン駆動信号Ｖcomと同期して上げられるように構成した場合、タイミングチャートは、図１６に示すようになる。図１６に示したタイミングチャートのうち、正極性に係わるタイミングチャートは、図１４に示したタイミングチャートの正極性に係わるタイミングチャートと同様であるため、その説明は省略する。
【０１２４】
水平ブランキング期間の間は、コモン駆動信号Ｖcomの所定の周期と同期して、負極性のTFT回路６１のゲートにかけられる電位、例えばGateＭ＋１は、電位GateＡと電位GateＣとが繰り返される信号とされる。その間に、書き込みのタイミングになると、TFT回路６１をオンの状態にするために、電位GateＡから電位GateＢにされる。
【０１２５】
このような電位の変化は、正極性に対するゲート電位の変化と同じである。このように、負極性のときにも正極性のときと同じく、水平ブランキング期間の間では、TFT回路６１をオンにする期間以外の間は、電位GateＡと電位GateＣが、コモン駆動信号Ｖcomの周期と同じ周期で繰り返される信号とされる。
【０１２６】
正極性と負極性の対象となる画素に接続されているゲートバッファ１６１のスイッチ１７１（図１１Ｂ）は、コモン駆動信号Ｖcomの周期に合わせて接続先を端子ａまたは端子ｂに切り替える。ゲートバッファ１６１は、接続先の端子を介して供給されるVGL１線からの電位GateＡの信号、またはVGL２線からの電位GateＣの信号を出力する。
【０１２７】
また、正極性、負極性に係わらず、ゲート信号として同一の信号が正極性の画素と負極性の画素にそれぞれ供給されるため、正極性と負極性に異なるゲート信号が供給される場合と異なり、負極性と正極性とで、ゲート負電源を独立させる必要がなくなる。よって、画素の極性配置パターンとゲート線の接続パターンは、図９Ａに示した構成とすることができる。図９Ａは、上記したように、負極性と正極性とで同一のゲート信号が用いられる場合を示し、極性配置パターンが、ドット反転駆動と称されるパターンである場合を示している。
【０１２８】
なお、この実施の形態の場合、負極性と正極性とで、ゲート負電源を独立させる必要がないが、図９Ｂに示したように、極性配置パターンがドット反転駆動であり、ゲート線が同一極性同士で接続される接続パターンであっても良い。さらに、図１０に示したようなライン反転駆動においても、正極性と負極性に同一のゲート信号を供給するという実施の形態を適用することはできる。
【０１２９】
このように負極性のときも、コモン駆動信号Ｖcomの振幅と同期したゲート信号を供給するようにすることで、ゲート線の接続パターンを、従来の接続パターン（図９Ａに示したパターン）や極性配置パターン（図９や図１０に示したパターン）に合わせて設計できるようになる。
【０１３０】
また、ブランキング期間の間は、正極性、負極性の画素のゲートに対して供給される信号を、コモン駆動信号Ｖcomと同期した信号とすることで、液晶容量Ｃの電位Ｖpix１が、電位ＶpixＣと電位ＶpixＤと変動しても、その変動に合わせて、ゲートの負電源が上げられるため、画素が正極性のときであっても、その画素のTFT回路６１の耐圧を超えることなく制御することができる。
【０１３１】
また、タッチセンサとして機能しているブランキング期間の間、ゲート負電圧を、電位GateＣに維持することで、ブランキング期間の間に供給されるコモン駆動信号Ｖcomの振幅を高振幅にする（電位ＶcomＡと電位ＶcomＢの電位差を大きくする）ことが可能となり、センサとしての性能を向上させることが可能となる。
【０１３２】
なお、図１２に示したタイミングチャートを参照して説明したように、垂直ブランキング期間の間（タッチパネルとして機能する間）、コモン駆動信号Ｖcomの振幅に同期せずに、正極性の画素に対するゲート負電源の電位が高い状態を維持するような構成の場合には、負極性の画素に対しても、ゲート負電源の電位が高い状態を維持するような構成とすることは好ましくない。
【０１３３】
仮に、負極性の画素に対して、ブランキング期間の間、ゲート負電源の電位が高い状態を維持するような構成とした場合、負極性の画素の電位がリークしてしまう可能性がある。よって、負極性の画素の電位は、リークしないように構成する必要があり、ブランキング期間の間、ゲート負電源の電位を高い状態で維持させるような構成とするのは好ましくない。
【０１３４】
よって、図１２を参照して説明したように、正極性の画素に対しては、ブランキング期間の間、ゲート負電源の電位が高い状態を維持するような構成とし、負極性の画素に対しては、ブランキング期間の間、ゲート負電源の電位が高い状態を維持しない構成とするのが好ましい。換言すれば、負極性と正極性とで、ゲートの負電源を独立させ、正極性の画素に対してのみゲート負電源の電位を高くするように構成することが好ましい。
【０１３５】
［効果］
このように、本技術によれば、タッチセンサ付き表示装置が、タッチセンサとして機能するときに、正極性の画素に対するゲート負電源の電位を上げることで、TFT回路の耐圧を超えるようなことを防ぐことができる。また、ゲート負電源の電位を上げることで、その分（以上）のコモン駆動信号Ｖcomの電位を高くし、TFT回路にかけることが可能となる。よって、コモン駆動信号Ｖcomの振幅を高振幅とすることができ、このことにより、タッチセンサとしての性能を向上させることが可能となる。
【０１３６】
また、このようなゲート負電源の電位を高い状態にする期間を、画素に対する書込み期間でない垂直ブランキング期間や水平ブランキング期間に行うことで、画像データに起因するリークが発生するようなことを防ぐことが可能となる。
【０１３７】
また、 このようなゲート負電源の電位を高い状態にすることで、「正極性の画素の電位Ｖpix+とGateの電位ＶGate間の電位差Ｖpix+」と「負極性の画素の電位Ｖpix-とGateの電位ＶGate間の電位差Ｖpix−」の差を小さくすることができる。このような差を小さくすることができることで、正極性と負極性のときの電位のリーク量の差を少なくすることが可能となる。そして、フリッカーを抑制することができるようになり、高画質化することが可能となる。 
【０１３８】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１３９】
図１７は、上述した一連の処理をプログラムにより実行するコンピュータのハードウエアの構成例を示すブロック図である。コンピュータにおいて、ＣＰＵ（Central Processing Unit）３０１、ＲＯＭ（Read Only Memory）３０２、ＲＡＭ（Random Access Memory）３０３は、バス３０４により相互に接続されている。バス３０４には、さらに、入出力インタフェース３０５が接続されている。入出力インタフェース３０５には、入力部３０６、出力部３０７、記憶部３０８、通信部３０９、及びドライブ３１０が接続されている。
【０１４０】
入力部３０６は、キーボード、マウス、マイクロフォンなどよりなる。出力部３０７は、ディスプレイ、スピーカなどよりなる。記憶部３０８は、ハードディスクや不揮発性のメモリなどよりなる。通信部３０９は、ネットワークインタフェースなどよりなる。ドライブ３１０は、磁気ディスク、光ディスク、光磁気ディスク、又は半導体メモリなどのリムーバブルメディア３１１を駆動する。
【０１４１】
以上のように構成されるコンピュータでは、ＣＰＵ３０１が、例えば、記憶部３０８に記憶されているプログラムを、入出力インタフェース３０５及びバス３０４を介して、ＲＡＭ３０３にロードして実行することにより、上述した一連の処理が行われる。
【０１４２】
コンピュータ（ＣＰＵ３０１）が実行するプログラムは、例えば、パッケージメディア等としてのリムーバブルメディア３１１に記録して提供することができる。また、プログラムは、ローカルエリアネットワーク、インターネット、デジタル衛星放送といった、有線または無線の伝送媒体を介して提供することができる。
【０１４３】
コンピュータでは、プログラムは、リムーバブルメディア３１１をドライブ３１０に装着することにより、入出力インタフェース３０５を介して、記憶部３０８にインストールすることができる。また、プログラムは、有線または無線の伝送媒体を介して、通信部３０９で受信し、記憶部３０８にインストールすることができる。その他、プログラムは、ＲＯＭ３０２や記憶部３０８に、あらかじめインストールしておくことができる。
【０１４４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４５】
また、本明細書において、システムとは、複数の装置により構成される装置全体を表すものである。
【０１４６】
なお、本技術の実施の形態は、上述した実施の形態に限定されるものではなく、本技術の要旨を逸脱しない範囲において種々の変更が可能である。
【０１４７】
なお、本技術は以下のような構成も取ることができる。
【０１４８】
（１）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備え、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
タッチセンサ付き表示装置。
（２）
前記ゲート電位は、垂直ブランキング期間と水平ブランキング期間の間、高い状態にされる
前記（１）に記載のタッチセンサ付き表示装置。
（３）
前記ゲート電位は、前記タッチセンサ用駆動信号に同期して高い状態にされる
前記（２）に記載のタッチセンサ付き表示装置。
（４）
前記ゲート電位は、前記表示用電圧が正極性の書き込みを行うときに高い状態にされる
前記（１）乃至（３）のいずれかに記載のタッチセンサ付き表示装置。
（５）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置の電位制御方法であって、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
電位制御方法。
（６）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置を制御するコンピュータに、
前記表示制御回路により前記共通電極に印加される表示用駆動電圧をタッチセンサ用駆動信号として利用し、
前記タッチセンサ用駆動信号が印加されている間、前記表示画素電極を構成するTFT回路のゲート電位を高くする
処理を実行させるプログラム。
（７）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備え、
前記表示制御回路により前記共通電極に印加される表示用駆動電圧をタッチセンサ用駆動信号として利用し、
前記表示画素電極を構成するTFT回路のゲートに供給される信号は、異なる３つの電位が所定のタイミングで切り替えられる信号とされる
タッチセンサ付き表示装置。
（８）
前記３つの電位は、基準となる第１の電位、前記TFT回路をオンの状態にするための第２の電位、および前記タッチセンサ用駆動信号が供給されるときの第３の電位である
前記（７）に記載のタッチセンサ付き表示装置。
（９）
垂直ブランキング期間と水平ブランキング期間の間、前記TFT回路のゲートに供給される信号の電位は、前記第３の電位とされる
前記（８）に記載のタッチセンサ付き表示装置。
（１０）
前記TFT回路のゲートに供給される信号は、前記タッチセンサ用駆動信号に同期した信号とされ、前記第１の電位と前記第３の電位が繰り返される信号とされる
前記（７）乃至（９）のいずれかに記載のタッチセンサ付き表示装置。
（１１）
前記TFT回路のゲートに供給される信号は、前記表示用電圧が正極性の書き込みを行うときに前記異なる３つの電位が所定のタイミングで切り替えられる信号とされ、前記表示用電圧が負極性の書き込みを行うときに前記異なる３つの電位のうちの２つの電位が所定のタイミングで切り替えられる信号とされる
前記（７）乃至（１０）のいずれかに記載のタッチセンサ付き表示装置。
（１２）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置の電位制御方法であって、
前記表示制御回路により前記共通電極に印加される表示用駆動電圧をタッチセンサ用駆動信号として利用し、
前記表示画素電極を構成するTFT回路のゲートに供給される信号を、異なる３つの電位が所定のタイミングで切り替えられる信号とする
電位制御方法。
（１３）
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して設けられ、前記共通電極との間に静電容量を形成するタッチ検出電極と
を備えるタッチセンサ付き表示装置を制御するコンピュータに、
前記表示制御回路により前記共通電極に印加される表示用駆動電圧をタッチセンサ用駆動信号として利用し、
前記表示画素電極を構成するTFT回路のゲートに供給される信号を、異なる３つの電位が所定のタイミングで切り替えられる信号とする
ための処理を実行させるプログラム。
【符号の説明】
【０１４９】
２  画素基板，  ４  対向基板，  ６  液晶層，  ７  コンタクト導電柱，  ２１  ＴＦＴ基板，  ２２  画素電極，  ４１  ガラス基板，  ４２  カラーフィルタ，  ４３  共通電極（兼センサ用駆動電極），  ４３Ｄ  ドライバ，  ４４  センサ用検出電極，  ４５  偏光板，  ６１  TFT回路
【図１】
0005635480.tif 000002
【図２】
0005635480.tif 000003
【図３】
0005635480.tif 000004
【図４】
0005635480.tif 000005
【図５】
0005635480.tif 000006
【図６】
0005635480.tif 000007
【図７】
0005635480.tif 000008
【図８】
0005635480.tif 000009
【図９】
0005635480.tif 000010
【図１０】
0005635480.tif 000011
【図１１】
0005635480.tif 000012
【図１２】
0005635480.tif 000013
【図１３】
0005635480.tif 000014
【図１４】
0005635480.tif 000015
【図１５】
0005635480.tif 000016
【図１６】
0005635480.tif 000017
【図１７】
0005635480.tif 000018